(57)【要約】      （修正有）【課題】レーザー光線を直に路面に投射し、文字や記号などの路面標示を路面に写し続け、路面に作図を行わなくても、路面標示を施工できる路面標示設置支援システムを提供する。【解決手段】レーザープロジェクターを用いた路面標示設置支援システムであって、路面上に直立状に載置される脚体１０と、該脚体１０の頂部に取り付けられ路面に向いて傾いたレーザー投射口１２ａを有し、ドライバに入力された路面標示データに基づき路面標示をレーザー投射口からレーザーで路面に投影するレーザープロジェクター８と、路面標示作成プログラムにより作成された路面標示データをレーザー投射口の路面からの高さと投射されるレーザーの路面に対する角度に基づき正規化して保管するコンピュータとから構成される。【選択図】図１
0003211508.tif 000002
【実用新案登録請求の範囲】
【請求項１】
路面上に直立状に載置される脚体（１０）と、レーザー投射口を有し、入力された路面標示データに基づき路面標示を前記レーザー投射口からレーザーで路面（１２）に投影する、前記脚体（１０）の頂部に取り付けられたレーザープロジェクター（８）と、路面標示作成プログラムにより作成された路面標示データをレーザー投射口の路面からの高さと投射されるレーザーの路面に対する角度に基づき正規化して保管するコンピュータ（２）とから成ることを特徴とするレーザープロジェクターを用いた路面標示設置支援システム。
【請求項２】
前記コンピュータ（２）が、入出力部（６）を介して前記レーザープロジェクター（８）の入出力装置（４）に電気的に接続し、前記コンピュータ（２）に保管された正規化された路面標示データが前記レーザープロジェクター（８）のドライバ（１４）に供給されるようにしたことを特徴とする請求項１に記載のレーザープロジェクターを用いた路面標示設置支援システム。
【請求項３】
前記レーザープロジェクター（８）がメモリカード読取器（１８）を備え、該メモリカード読取器（１８）に、正規化された路面標示データが記録されたカードを装着し、該カードに記録された路面標示データに基づき、路面に、路面標示をレーザーで投影するようにしたことを特徴とする請求項１に記載のレーザープロジェクターを用いた路面標示設置支援システム。
【考案の詳細な説明】
【技術分野】
【０００１】
本考案は、レーザープロジェクターを用いた路面標示設置支援システムに関するものである。
【背景技術】
【０００２】
従来、道路の区画線の工事では、文字や記号などの路面標示を塗料で描く前に、大工が用いる墨いとのような作図紐を使って、路面に路面標示の輪郭を描いてから機械で路面に白線を施工している。
【考案の概要】
【考案が解決しようとする課題】
【０００３】
路面への標示体の輪郭の作図は非常に細かな作業で、一人前になるまでには相当の経験が必要とされる。作業員の高齢化に伴い、作図ができる作業員の数が全国的に減ってきており、業界では問題となっている。
作図を自動で路面に描く機械も発売されたが、一文字描くのに数十分かかったり実用的ではなかった。
本考案は、上記問題点を解決することを目的とするものである。
【課題を解決するための手段】
【０００４】
上記目的を達成するため、本考案は、路面上に直立状に載置される脚体（１０）と、レーザー投射口（１２ａ）を有し、入力された路面標示データに基づき路面標示を前記レーザー投射口からレーザーで路面（１２）に投影する、前記脚体（１０）の頂部に取り付けられたレーザープロジェクター（８）と、路面標示作成プログラムにより作成された路面標示データをレーザー投射口の路面からの高さと投射されるレーザーの路面に対する角度に基づき正規化して保管するコンピュータ（２）とから成ることを特徴とする。
また本考案は、前記コンピュータ（２）が、入出力部（６）を介して前記レーザープロジェクター（８）の入出力装置（４）に電気的に接続し、前記コンピュータ（２）に保管された正規化された路面標示データが前記レーザープロジェクター（８）のドライバ（１４）に供給されるようにしたことを特徴とする。
また本考案は、前記レーザープロジェクター（８）がメモリカード読取器（１８）を備え、該メモリカード読取器（１８）に、正規化された路面標示データが記録されたカードを装着し、該カードに記録された路面標示データに基づき、路面に、路面標示をレーザーで投影するようにしたことを特徴とするものである。
【考案の効果】
【０００５】
本考案は、レーザー光線を直に路面に投射し、文字や記号などの路面標示を路面に投影し続けるので、路面への作図を行わなくとも路面標示設置作業を行うことができる。
【図面の簡単な説明】
【０００６】
【図１】本考案の正面説明図である。
【図２】本考案の平面説明図である。
【図３】本考案の全体構成を示すブロック説明図である。
【図４】アプリケーションソフトの機能説明図ブロック図である。
【図５】本考案の説明図である。
【考案を実施するための形態】
【０００７】
以下に本考案の構成を添付した図面を参照して詳細に説明する。
図３は、本考案に係るレーザープロジェクターを用いた路面標示設置支援システムの全体構成を示し、本システムは路面標示データ作成用アプリケーションソフトがインストールされたコンピュータ２と、入出力装置４が、コンピュータ２の入出力部６に有線又は無線で電気的に接続可能なレーザープロジェクター８と、該レーザープロジェクター８を路面上の所定の高さ位置に安定的に支持する細長直立形状の脚体１０とから構成されている。
【０００８】
脚体１０は、伸縮調整可能な脚柱１０ａと、該脚柱１０ａを路面上に安定的に直立させるための基台１０ｂと、脚柱１０ａの頂部に設けられた支持具１０ｃとから構成されている。基台１０ｂは、三脚型構造を有し、これに脚柱１０ａが路面に対して垂直となるように立設されている。支持具１０ｃには、レーザープロジェクター８が設置されている。
【０００９】
レーザープロジェクター８は、図１に示すように、レーザー投射口１２ａを有し、該投射口１２ａからレーザーを路面２０に向けて投射するレーザー光源部１２と、レーザー光源部１２を駆動するドライバ１４と、コンピュータ２との間で情報のやりとりをするための入出力装置４と、ドライバ１４に各種の命令やデータを入力し、ドライバ１４を制御するための操作部１６と、ＳＤカードなどのメモリカードのデータを読み取るためのメモリカード読取器１８とから成り、これらは互いに電気的に接続している。
【００１０】
使用されるレーザープロジェクター８の、レーザー投射口１２ａの路面からの高さと、レーザー投射口１２ａから路面に向かって投射されるレーザーの投射角度α１，α２は予め測定されデータ化している。
【００１１】
コンピュータ２には、路面標示データ作成プログラム（アプリケーションソフト）がインストールされ、該プログラムは、コンピュータ２を路面標示寸法に基づく路面標示データを作成するための路面標示データ作成手段２２として機能させるように構成されている。また、路面標示データ作成プログラムは、コンピュータ２を、入出力部６から入力されたレーザー投影の高さ（レーザー投射口１２ａの路面からの高さ）、レーザー投射角度α１，α２のデータに合わせて、データ保管部２４に保管した路面標示データの路面投影の正規化を行うためのキャリブレーションを行う投影パラメータ作成手段２６として機能させるように構成されている。
【００１２】
投影パラメータ作成手段２６は、コンピュータ２上で作成した、規定の寸法に基づく路面標示データが規定の寸法形状で正確に路面に投影されるように、レーザープロジェクター８のドライバ１４に供給される路面標示データの正規化を行うためのパラメータの作成を行うものであり、このパラメータによりコンピュータ上で作成された路面標示データは補正即ち正規化され、正規化データとしてコンピュータ２からレーザープロジェクター８に供給される。
【００１３】
上記した構成において、本システムのユーザーは、予めＣＡＤ等の作図技術を用いた路面標示データ作成プログラムを使用して、コンピュータ２上に路面標示寸法に基づく路面標示データを作成し、データ保管部２４に保管する。
次に、ユーザーはコンピュータ２にレーザー投影の高さ、レーザー投射角度の値を入力する。投影パラメータ作成手段２６は、これらの値に合わせて投影パラメータを作成し、これを用いてコンピュータ２上の路面標示データの正規化を行い、正規化したデータ２８をデータ保管部２４に格納する。
【００１４】
ユーザーは上記の準備を行った後、作業現場でレーザープロジェクター８を路面上に配置し、路面に標示を行うための正規化した路面標示データ２８をコンピュータ２から読み出す。コンピュータ２から読み出されたデータ２８は、レーザープロジェクター８の入出力装置４に入力され、入出力装置４を経て、ドライバ１４に供給される。ドライバ１４は、レーザー光源部１２を駆動し、レーザー光源部１２は、ドライバ１４の制御によりレーザー投射口１２ａから路面２０に向かってレーザーを投射し、路面２０にレーザーで路面標示（図５Ｂ参照）を投影する。
【００１５】
この際、レーザー投射高と角度を事前に決定することで、正規化し変換済みの補正路面標示データ２８をＳＤカードなどのメモリカードへ入れておき、現地では、コンピュータ不要でレーザーを投射することも可能である。作業員は、路面２０に投射された輝線（図５Ｂ参照）をもとに塗装を行う（図５Ｃ参照）。
【符号の説明】
【００１６】
２      コンピュータ
４      入出力装置
６      入出力部
８      レーザープロジェクター
１０    脚体
１０ａ  脚柱
１０ｂ  基台
１０ｃ  支持具
１２    レーザー光源部
１２ａ  レーザー投射口
１４    ドライバ
１６    操作部
１８    メモリカード読取器
２０    路面
２２    路面標示データ作成手段
２４    データ保管部
２６    投影パラメータ作成手段
２８    路面標示データ
３０    路面標示
【図１】
0003211508.tif 000003
【図２】
0003211508.tif 000004
【図３】
0003211508.tif 000005
【図４】
0003211508.tif 000006
【図５】
0003211508.tif 000007